(57)【要約】      （修正有）【課題】高い精度で血圧値を測定することが可能であり、測定中において被験者に、無理なく自然な姿勢にて測定を行なうことが可能となる血圧測定装置を提供する。【解決手段】この血圧測定装置は、「第１角度（θ１）＝２０度」おける生体挿入部筐体１４０の上腕挿入面Ｓ１から肘置き位置中心Ｅまでの距離よりも、第１角度よりも大きい角度である「第２角度（θ２）＝３５度」における生体挿入部筐体１４０の上腕挿入面Ｓ１から肘置き位置中心Ｅまでの距離の方が大きくなる位置に回転中心軸が設けられる。【選択図】図７
2010167078.tif 000002
【特許請求の範囲】
【請求項１】
被験者の上腕が軸方向から挿入される中空開口部を有する腕帯が内周面上に配置された略円筒状の生体挿入部筐体と、
被験者の上腕が前記生体挿入部筐体を通過し、測定姿勢をとった際に被験者の肘を載置するための肘置きが設けられた本体部筐体と、を備え、
前記生体挿入部筐体は、前記肘置きにおける肘置き位置中心を含む平面と前記腕帯の腕帯中心軸とにより挟まれる角度が、第１角度と前記第１角度よりも大きい第２角度との間の範囲で移動可能とするための回転中心軸を含み、
前記回転中心軸は、その軸方向から見た場合において、
前記第１角度における前記生体挿入部筐体の上腕挿入面から前記肘置き位置中心までの距離よりも、前記第２角度における前記生体挿入部筐体の上腕挿入面から前記肘置き位置中心までの距離の方が大きくなる位置に設けられる、血圧測定装置。
【請求項２】
前記回転中心軸は、軸方向から見た場合において、前記腕帯中心軸と平行に配置され、前記肘置き位置中心を通過する肘置き位置ラインよりも前記腕帯中心軸側に位置するとともに、前記腕帯中心軸が延びる方向において、上腕の挿入方向から見て、前記腕帯の軸方向中心位置よりも肘置き側に位置する、請求項１に記載の血圧測定装置。
【請求項３】
前記第１角度は、約２０度であり、前記第２角度は、約３５度である、請求項１または２に記載の血圧測定装置。
【発明の詳細な説明】
【技術分野】
【０００１】
本発明は、血圧測定装置に関し、特に、腕帯を上腕に対して自動的に巻き付ける機構を備えた血圧測定装置に関する。
【背景技術】
【０００２】
近年、自動的に生体へ腕帯を巻き付けることが可能な自動巻付機構を備えた血圧測定装置が普及しつつある。下記特許文献１には、この自動巻付機構を搭載した血圧測定装置が開示されている。この血圧測定装置においては、一定の巻き付け強さが測定毎に再現されるようになるため、安定した測定精度が実現されるばかりでなく、煩雑な巻き付け作業が不要になるというメリットが得られる。
【０００３】
下記特許文献１に開示される血圧測定装置においては、被験者が測定姿勢をとった際に肘を載置するための肘置きが設けられた本体部筐体と、被験者の上腕が挿入される中空開口部を有する腕帯が内周面上に配置された略円筒状の生体挿入部筐体とを備えている。また、生体挿入部筐体の下端部には、本体部筐体に連結される回転軸部を有し、本体部筐体に対して、生体挿入部筐体が回動可能に設けられている。
【０００４】
上記構成からなる血圧測定装置において、机等の載置面に血圧測定装置を載置し、被験者が椅子に座って血圧を測定する場合には、背の低い被験者は、生体挿入部筐体の回転角度（載置面と腕帯中心軸とにより挟まれる角度）は小さくなり、背の高い被験者は、生体挿入部筐体の回転角度は大きくなる。
【０００５】
背の低い被験者の上腕の長さは、背の高い被験者の上腕の長さに比べると身体的に短くなるが、上記したように、背の低い被験者は、生体挿入部筐体の回転角度が小さくなる結果、生体挿入部筐体の上腕挿入面から肘置きの位置までの距離が長くなる課題がある。
【先行技術文献】
【特許文献】
【０００６】
【特許文献１】特開２００６−１５０１４３号公報
【発明の概要】
【発明が解決しようとする課題】
【０００７】
本発明が解決しようとする課題は、本体部筐体に対して、生体挿入部筐体が回動可能に設けられた構成を備える血圧測定装置において、生体挿入部筐体の回転角度が小さくなると、生体挿入部筐体の上腕挿入面から肘置きの位置までの距離が長くなる点にある。
【０００８】
したがって、この発明は、高い精度で血圧値を測定することが可能であり、測定中において被験者に、無理なく自然な姿勢にて測定を行なうことが可能となる血圧測定装置を提供することを目的とする。
【課題を解決するための手段】
【０００９】
この発明に基づいた、血圧測定装置においては、被験者の上腕が軸方向から挿入される中空開口部を有する腕帯が内周面上に配置された略円筒状の生体挿入部筐体と、被験者の上腕が上記生体挿入部筐体を通過し、測定姿勢をとった際に被験者の肘を載置するための肘置きが設けられた本体部筐体とを備えている。
【００１０】
また、上記生体挿入部筐体は、上記肘置きにおける肘置き位置中心を含む平面と上記腕帯の腕帯中心軸とにより挟まれる角度が、第１角度と上記第１角度よりも大きい第２角度との間の範囲で移動可能とするための回転中心軸を含んでいる。
【００１１】
上記回転中心軸は、その軸方向から見た場合において、上記第１角度における上記生体挿入部筐体の上腕挿入面から上記肘置き位置中心までの距離よりも、上記第２角度における上記生体挿入部筐体の上腕挿入面から上記肘置き位置中心までの距離の方が大きくなる位置に設けられている。
【発明の効果】
【００１２】
この発明に基づいた血圧測定装置によれば、第１角度における生体挿入部筐体の上腕挿入面から肘置き位置中心までの距離よりも、第１角度よりも大きい角度である第２角度における生体挿入部筐体の上腕挿入面から肘置き位置中心までの距離の方が大きくなる位置に回転中心軸が設けられている。
【００１３】
これにより、生体挿入部筐体の回転角度が小さくなった場合には、生体挿入部筐体の上腕挿入面から肘置きの位置までの距離が短くなることから、測定中において背の低い被験者であっても、当該被験者に無理なく自然な姿勢にて測定を行なってもらうことが可能となる。
【図面の簡単な説明】
【００１４】
【図１】本発明の実施の形態における血圧測定装置の平面図である。
【図２】本発明の実施の形態における血圧測定装置の正面図である。
【図３】本発明の実施の形態における血圧測定装置の右側面図である。
【図４】本発明の実施の形態における血圧測定装置に採用される生体挿入部筐体が回動している状態を示す図である。
【図５】本発明の実施の形態における血圧測定装置の機能ブロックを示す図である。
【図６】本発明の実施の形態における被験者の測定姿勢を示す図である。
【図７】本発明の実施の形態における血圧測定装置の回転中心軸の軸方向から見た場合における生体挿入部筐体と肘置きとの位置関係を示す模式図である。
【図８】本発明の実施の形態における血圧測定装置の回転中心軸の位置を示す図である。
【図９】本発明の実施の形態における血圧測定装置の、選択した回転中心軸Ｐ１１の位置における生体挿入部筐体の回転状態を示す第１の図である。
【図１０】本発明の実施の形態における血圧測定装置の、選択した回転中心軸Ｐ１２の位置における生体挿入部筐体の回転状態を示す第２の図である。
【図１１】本発明の実施の形態における血圧測定装置の、選択した回転中心軸Ｐ１３の位置における生体挿入部筐体の回転状態を示す第３の図である。
【図１２】本発明の実施の形態における血圧測定装置の、選択した回転中心軸Ｐ１４の位置における生体挿入部筐体の回転状態を示す第４の図である。
【図１３】本発明の実施の形態における血圧測定装置の、選択した回転中心軸Ｐ１５の位置における生体挿入部筐体の回転状態を示す第５の図である。
【図１４】本発明の実施の形態における血圧測定装置の、選択した回転中心軸Ｐ１６の位置における生体挿入部筐体の回転状態を示す第６の図である。
【図１５】本発明の実施の形態における血圧測定装置の、選択した回転中心軸Ｐ１７の位置における生体挿入部筐体の回転状態を示す第７の図である。
【図１６】本発明の実施の形態における血圧測定装置の、選択した回転中心軸Ｐ２１の位置における生体挿入部筐体の回転状態を示す第８の図である。
【図１７】本発明の実施の形態における血圧測定装置の、選択した回転中心軸Ｐ２２の位置における生体挿入部筐体の回転状態を示す第９の図である。
【図１８】本発明の実施の形態における血圧測定装置の、選択した回転中心軸Ｐ２３の位置における生体挿入部筐体の回転状態を示す第１０の図である。
【図１９】本発明の実施の形態における血圧測定装置の、選択した回転中心軸Ｐ２４の位置における生体挿入部筐体の回転状態を示す第１１の図である。
【図２０】本発明の実施の形態における血圧測定装置の、選択した回転中心軸Ｐ２５の位置における生体挿入部筐体の回転状態を示す第１２の図である。
【図２１】本発明の実施の形態における血圧測定装置の、選択した回転中心軸Ｐ２６の位置における生体挿入部筐体の回転状態を示す第１３の図である。
【図２２】本発明の実施の形態における血圧測定装置の、選択した回転中心軸Ｐ２７の位置における生体挿入部筐体の回転状態を示す第１４の図である。
【図２３】本発明の実施の形態における血圧測定装置の、選択した回転中心軸Ｐ３１の位置における生体挿入部筐体の回転状態を示す第１５の図である。
【図２４】本発明の実施の形態における血圧測定装置の、選択した回転中心軸Ｐ３２の位置における生体挿入部筐体の回転状態を示す第１６の図である。
【図２５】本発明の実施の形態における血圧測定装置の、選択した回転中心軸Ｐ３３の位置における生体挿入部筐体の回転状態を示す第１７の図である。
【図２６】本発明の実施の形態における血圧測定装置の、選択した回転中心軸Ｐ３４の位置における生体挿入部筐体の回転状態を示す第１８の図である。
【図２７】本発明の実施の形態における血圧測定装置の、選択した回転中心軸Ｐ３５の位置における生体挿入部筐体の回転状態を示す第１９の図である。
【図２８】本発明の実施の形態における血圧測定装置の、選択した回転中心軸Ｐ３６の位置における生体挿入部筐体の回転状態を示す第２０の図である。
【図２９】本発明の実施の形態における血圧測定装置の、選択した回転中心軸Ｐ３７の位置における生体挿入部筐体の回転状態を示す第２１の図である。
【図３０】本発明の実施の形態における血圧測定装置の、選択した回転中心軸Ｐ４１の位置における生体挿入部筐体の回転状態を示す第２２の図である。
【図３１】本発明の実施の形態における血圧測定装置の、選択した回転中心軸Ｐ４２の位置における生体挿入部筐体の回転状態を示す第２３の図である。
【図３２】本発明の実施の形態における血圧測定装置の、選択した回転中心軸Ｐ４３の位置における生体挿入部筐体の回転状態を示す第２４の図である。
【図３３】本発明の実施の形態における血圧測定装置の、選択した回転中心軸Ｐ４４の位置における生体挿入部筐体の回転状態を示す第２５の図である。
【図３４】本発明の実施の形態における血圧測定装置の、選択した回転中心軸Ｐ４５の位置における生体挿入部筐体の回転状態を示す第２６の図である。
【図３５】本発明の実施の形態における血圧測定装置の、選択した回転中心軸Ｐ４６の位置における生体挿入部筐体の回転状態を示す第２７の図である。
【図３６】本発明の実施の形態における血圧測定装置の、選択した回転中心軸Ｐ４７の位置における生体挿入部筐体の回転状態を示す第２８の図である。
【図３７】本発明の実施の形態における血圧測定装置の、選択した回転中心軸Ｐ５１の位置における生体挿入部筐体の回転状態を示す第２９の図である。
【図３８】本発明の実施の形態における血圧測定装置の、選択した回転中心軸Ｐ５２の位置における生体挿入部筐体の回転状態を示す第３０の図である。
【図３９】本発明の実施の形態における血圧測定装置の、選択した回転中心軸Ｐ５３の位置における生体挿入部筐体の回転状態を示す第３１の図である。
【図４０】本発明の実施の形態における血圧測定装置の、選択した回転中心軸Ｐ５４の位置における生体挿入部筐体の回転状態を示す第３２の図である。
【図４１】本発明の実施の形態における血圧測定装置の、選択した回転中心軸Ｐ５５の位置における生体挿入部筐体の回転状態を示す第３３の図である。
【図４２】本発明の実施の形態における血圧測定装置の、選択した回転中心軸Ｐ５６の位置における生体挿入部筐体の回転状態を示す第３４の図である。
【図４３】本発明の実施の形態における血圧測定装置の、選択した回転中心軸Ｐ５７の位置における生体挿入部筐体の回転状態を示す第３５の図である。
【図４４】図９から図４３の状態から得られた結果を示す第１の図である。
【図４５】図９から図４３の状態から得られた結果を示す第２の図である。
【発明を実施するための形態】
【００１５】
以下、本発明の実施の形態について、図を参照して詳細に説明する。
本実施の形態における血圧測定装置は、被験者の上腕を圧迫することにより動脈圧脈波を検出し、血圧値を測定するものである。本実施の形態における血圧測定装置は、自動腕帯巻付機構を備えており、この自動腕帯巻付機構によって上腕への腕帯の巻付けが行なわれる。
【００１６】
（血圧測定装置１００Ａの外観構造）
図１から図４は、本実施の形態における血圧測定装置１００Ａの外観構造を説明するための図であり、図１は本実施の形態における血圧測定装置の平面図、図２は本実施の形態における血圧測定装置の正面図、図３は本実施の形態における血圧測定装置の右側面図、図４は本実施の形態における血圧測定装置に採用される生体挿入部筐体が回動している状態を示す図である。
【００１７】
図１から図３に示すように、本実施の形態における血圧測定装置１００Ａは、机等の載置面に載置され、被験者の上腕が軸方向から挿入される中空開口部を有する腕帯１５０が内周面上に配置された略円筒状の生体挿入部筐体１４０と、被験者の上腕が生体挿入部筐体１４０を通過し、測定姿勢をとった際に被験者の肘を載置するための肘置き１６０が設けられた本体部筐体１１０とを備えている。本実施の形態における血圧測定装置１００Ａは、さらに、被験者の腕を載置するための腕置き１７０も設けられている。
【００１８】
本体部筐体１１０の上面には、電源の投入に用いられる電源ボタンや測定動作を開始させるための測定ボタン、表示部の操作を行なう表示部操作ボタンなどの種々のボタンが配置された操作部１１４が設けられている。また、本体部筐体１１０の上面の他の位置には、測定結果や操作ガイド等を表示するための表示部１１６が設けられている。
【００１９】
図４に示すように、生体挿入部筐体１４０は、回転中心軸Ｐを含む回転連結機構によって本体部筐体１１０に対して回転（図４中矢印Ａ方向）自在に連結されている。具体的構成としては、生体挿入部筐体１４０の本体部筐体１１０側に突出するように、対向する一対の支持プレート１４０ａ，１４０ａが設けられ、この支持プレート１４０ａ，１４０ａが、本体部筐体１１０に設けられたベースプレート１１０ａ，１１０ａに回動可能に連結されている。なお、回転中心軸Ｐの位置については後述する。
【００２０】
（血圧測定装置１００Ａの機能ブロック）
図５は、図１から図３に示す血圧測定装置１００Ａの機能ブロックを示す図である。図５に示すように、上述の腕帯に含まれる生体圧迫用空気袋１５２は、生体圧迫用エア系１２０にエアチューブ１５４によって接続されている。また、生体圧迫用エア系１２０は、ＣＰＵ１２８によってその動作が制御される。
【００２１】
生体圧迫用エア系１２０は、エアポンプ１２１と、エアバルブ１２２と、圧力センサ１２３とを含んでいる。エアポンプ１２１は、生体圧迫用空気袋１５２の内腔を加圧するための手段であり、ＣＰＵ１２８からの指令を受けたエアポンプ駆動回路１２４によって駆動され、測定時において生体圧迫用空気袋１５２の内腔の圧力が所定の圧力となるように圧縮気体を内腔に送り込む。
【００２２】
エアバルブ１２２は、生体圧迫用空気袋１５２の内腔の圧力を維持したり、あるいは減圧したりするための手段であり、ＣＰＵ１２８からの指令を受けたエアバルブ駆動回路１２５によってその開閉状態が制御され、測定時においてエアポンプ１２１によって高圧状態となった生体圧迫用空気袋１５２の内腔の圧力の維持および減圧を行なうとともに、測定終了後において生体圧迫用空気袋１５２の内腔を大気圧に復帰させる。
【００２３】
圧力センサ１２３は、生体圧迫用空気袋１５２の内腔の圧力を検出するための手段であり、測定時において時々刻々と変化する生体圧迫用空気袋１５２の内腔の圧力を検出し、その検出値に応じた信号を増幅器１２６に対して出力する。増幅器１２６は、圧力センサ１２３から出力される信号を増幅し、Ａ／Ｄコンバータ１２７に出力する。Ａ／Ｄコンバータ１２７は、増幅器１２６から出力されたアナログ信号をデジタル化し、ＣＰＵ１２８に出力する。
【００２４】
ＣＰＵ１２８は、血圧測定装置の本体部筐体１１０に設けられた操作部１１４に入力された指令に基づいて生体圧迫用エア系１２０の制御を行なうとともに、測定結果を表示部１１６やメモリ部１２９に出力する。なお、メモリ部１２９は、測定結果を記憶するための手段である。
【００２５】
本実施の形態における血圧測定装置１００Ａにおいては、図５に示す各機能ブロックのうち、生体圧迫用空気袋１５２および圧力センサ１２３を除くすべての機能ブロックが本体部筐体１１０に設けられており、本体部筐体１１０内に収容されている。生体圧迫用空気袋１５２および圧力センサ１２３は、生体挿入部筐体１４０に設けられている。
【００２６】
生体圧迫用空気袋１５２とエアポンプ１２１およびエアバルブ１２２とは、フレキシブルなエアチューブによって接続されており、圧力センサ１２３と増幅器１２６は、フレキシブルな信号線によって接続されている。このようにフレキシブルなエアチューブおよび信号線を用いて本体部筐体内に収容された構成品と生体挿入部筐体１４０内に収容された構成品とを接続することにより、生体挿入部筐体１４０の回転移動に追従しつつ、エアの注入および排出あるいは信号の送受信が行なえるようになる。
【００２７】
（被験者の測定姿勢）
図６は、本実施の形態における血圧測定装置１００Ａを用いた被験者２００における測定姿勢を示す図である。血圧測定装置１００Ａは、机３００の載置面に載置され、被験者２００は椅子２３０に座った状態である。被験者２００の上腕２２０が生体挿入部筐体１４０の軸方向から挿入される。また、被験者２００の肘２０１が肘置き１６０の上に載置され、被験者２００の腕２１０が腕置き１７０に載置されている。
【００２８】
（回転中心軸Ｐの位置）
次に、図７から図４５を参照して、回転中心軸Ｐの位置について説明する。図７は、回転中心軸の軸方向から見た場合における生体挿入部筐体１４０と肘置き１６０との位置関係を示す模式図であり、図８は、回転中心軸の位置を示す図である。また、図９から図４３は、選択した回転中心軸の位置における生体挿入部筐体１４０の回転状態を示す第１から第３５の図である。また、図４４および図４５は、図９から図４３の状態から得られた結果を示す第１および第２の図である。
【００２９】
まず、本実施の形態においては、図７に示すように、生体挿入部筐体１４０は、肘置き１６０における肘置き位置中心Ｅを含む平面ＢＬと、腕帯１５０の腕帯中心軸ＣＬとにより挟まれる角度が、第１角度（θ１）と、この第１角度（θ１）よりも大きい第２角度（θ２）との間の範囲で移動可能とするための回転中心軸を有している。図中の矢印Ｉは、生体挿入部筐体１４０への上腕挿入方向を示している。
【００３０】
図８に示すように、第１角度（θ１）を２０度として、生体挿入部筐体１４０の上腕挿入面Ｓ１と肘置き１６０の肘置き位置中心Ｅとの間の距離Ｈを、１８０．０ｍｍに設定している。回転中心軸の位置として、Ｐ１１〜Ｐ５７の３５箇所示している。
【００３１】
第１角度（θ１）を２０度として、生体挿入部筐体１４０の上腕挿入面Ｓ１上に、回転中心軸として、Ｐ１１，Ｐ２１，Ｐ３１，Ｐ４１，Ｐ５１を設けた。図８中に示す、生体挿入部筐体１４０の記号で示す寸法は、以下のとおりである。Ｗ１＝１０２．５ｍｍ、Ｗ２＝５５ｍｍ、Ｗ３＝２７．５ｍｍ、Ｄ＝１７０ｍｍ、Ｄ１（Ｄの中点Ｓ３）＝８５ｍｍ。
【００３２】
また、生体挿入部筐体１４０の上腕挿出面Ｓ２からの記号で示す寸法は、以下のとおりである。Ｌ１＝１０ｍｍ、Ｌ２＝４０ｍｍ、Ｌ３＝７０ｍｍ、Ｌ４＝１００ｍｍ。Ｗ１、Ｗ２、Ｗ３とＳ２、Ｓ３、Ｌ１、Ｌ２、Ｌ３、Ｌ４との交点に、回転中心軸Ｐ１２〜Ｐ１７、Ｐ２２〜Ｐ２７、Ｐ３２〜Ｐ３７、Ｐ４２〜Ｐ４７、Ｐ５２〜Ｐ５７を設けた。
【００３３】
図９から図４３に、上記のようにして設定した回転中心軸Ｐ１１〜Ｐ１７、Ｐ２１〜Ｐ２７、Ｐ３１〜Ｐ３７、Ｐ４１〜Ｐ４７、Ｐ５１〜Ｐ５７の、それぞれを回転中心軸として、生体挿入部筐体１４０を、第２角度（θ２）の３５度の位置にまで回転させた状態を示す。また、図９から図４３に示す生体挿入部筐体１４０の回転状態から読取った、上腕挿入面Ｓ１と肘置き１６０の肘置き位置中心Ｅとの間の距離Ｈと判定結果とを、図４４および図４５に示す。
【００３４】
肘置き１６０における肘置き位置中心Ｅを含む平面ＢＬと腕帯１５０の腕帯中心軸ＣＬとにより挟まれる角度が、第１角度（θ１）の２０度の場合は、背の低い被験者の血圧測定時を想定し、第２角度（θ２）が３５度の場合は、背の高い被験者の血圧測定時を想定している。
【００３５】
したがって、第１角度（θ１）の時に、上腕挿入面Ｓ１と肘置き１６０の肘置き位置中心Ｅとの間の距離Ｈを１８０ｍｍに設定していることから、第２角度（θ２）が３５度の場合は、上腕挿入面Ｓ１と肘置き１６０の肘置き位置中心Ｅとの間の距離Ｈは、１８０ｍｍよりも大きくなっていることが好ましい。距離Ｈが、１８０ｍｍ以下となる回転中心軸位置は、Ｐ４１〜Ｐ４３、およびＰ５１〜Ｐ５７である。なお、Ｐ４２およびＰ４３におけるＨの寸法は、１７６．８ｍｍおよび１７９．７ｍｍと、１８０ｍｍに近い寸法となっているため、この２点については、血圧測定に際しては問題ないものとする。
【００３６】
また、腕帯中心軸ＣＬと平行に配置され、肘置き位置中心Ｅを通過する肘置き位置ラインＥＬが、腕帯中心軸ＣＬに近接すると、上腕２２０の生体挿入部筐体１４０挿入が困難となる。肘置き位置ラインＥＬと腕帯中心軸ＣＬとが近接する回転中心軸位置は、Ｐ１１、Ｐ２１、およびＰ３１である。
【００３７】
図４４に示す判定結果を、図４５に示す。図４５から、回転中心軸を軸方向から見た場合において、肘置き位置ラインＥＬよりも腕帯中心軸ＣＬ側に位置するとともに、腕帯中心軸ＣＬが延びる方向において、上腕２２０の挿入方向(図７中の矢印Ｉ方向)から見て、腕帯１５０の軸方向中心位置Ｓ３よりも肘置き１６０側に位置すれば、第１角度（θ１）＝２０度における生体挿入部筐体１４０の上腕挿入面Ｓ１から肘置き位置中心Ｅまでの距離（Ｈ＝１８０ｍｍ）よりも、第２角度（θ２）＝３５度における生体挿入部筐体１４０の上腕挿入面Ｓ１から肘置き位置中心Ｅまでの距離の方が大きくなるといえる。
【００３８】
以上、本実施の形態における血圧測定装置１００Ａによれば、「第１角度（θ１）＝２０度」における生体挿入部筐体１４０の上腕挿入面Ｓ１から肘置き位置中心Ｅまでの距離よりも、第１角度よりも大きい角度である「第２角度（θ２）＝３５度」における生体挿入部筐体１４０の上腕挿入面Ｓ１から肘置き位置中心Ｅまでの距離の方が大きくなる位置に回転中心軸が設けられる。
【００３９】
これにより、生体挿入部筐体１４０の回転角度（θ）が小さくなった場合には、生体挿入部筐体の上腕挿入面Ｓ１から肘置きの位置までの距離が短くなることから、測定中において背の低い被験者であっても、当該被験者に無理なく自然な姿勢にて測定を行なってもらうことが可能となる。
【００４０】
なお、上述の実施の形態においては、上腕を圧迫して血圧値を測定する上腕式の血圧測定装置を例示して説明を行なったが、血圧測定装置に限られず、脈波検出装置（脈波計）等にも適用が可能である。
【００４１】
このように、今回開示した上記各実施の形態はすべての点で例示であって、制限的なものではない。本発明の技術的範囲は特許請求の範囲によって画定され、また特許請求の範囲の記載と均等の意味および範囲内でのすべての変更を含むものである。
【符号の説明】
【００４２】
１００Ａ  血圧測定装置、１１０  本体部筐体、１１０ａ  ベースプレート、１１４  操作部、１１６  表示部、１２０  生体圧迫用エア系、１２１  エアポンプ、１２２  エアバルブ、１２３  圧力センサ、１２４  エアポンプ駆動回路、１２５  エアバルブ駆動回路、１２６  増幅器、１２７  Ａ／Ｄコンバータ、１２８  ＣＰＵ、１２９  メモリ部、１４０  生体挿入部筐体、１４０ａ  支持プレート、１５０  腕帯、１５２  生体圧迫用空気袋、１５４  エアチューブ、１６０  肘置き、１７０  腕置き、２００  被験者、２０１  肘、２１０  腕、２２０  上腕、２３０  椅子、３００  机、ＢＬ  平面、ＣＬ  腕帯中心軸、ＥＬ  肘置き位置ライン、Ｅ  肘置き位置中心、Ｐ，Ｐ１１〜Ｐ５７  回転中心軸。
【図１】
2010167078.tif 000003
【図２】
2010167078.tif 000004
【図３】
2010167078.tif 000005
【図４】
2010167078.tif 000006
【図５】
2010167078.tif 000007
【図６】
2010167078.tif 000008
【図７】
2010167078.tif 000009
【図８】
2010167078.tif 000010
【図９】
2010167078.tif 000011
【図１０】
2010167078.tif 000012
【図１１】
2010167078.tif 000013
【図１２】
2010167078.tif 000014
【図１３】
2010167078.tif 000015
【図１４】
2010167078.tif 000016
【図１５】
2010167078.tif 000017
【図１６】
2010167078.tif 000018
【図１７】
2010167078.tif 000019
【図１８】
2010167078.tif 000020
【図１９】
2010167078.tif 000021
【図２０】
2010167078.tif 000022
【図２１】
2010167078.tif 000023
【図２２】
2010167078.tif 000024
【図２３】
2010167078.tif 000025
【図２４】
2010167078.tif 000026
【図２５】
2010167078.tif 000027
【図２６】
2010167078.tif 000028
【図２７】
2010167078.tif 000029
【図２８】
2010167078.tif 000030
【図２９】
2010167078.tif 000031
【図３０】
2010167078.tif 000032
【図３１】
2010167078.tif 000033
【図３２】
2010167078.tif 000034
【図３３】
2010167078.tif 000035
【図３４】
2010167078.tif 000036
【図３５】
2010167078.tif 000037
【図３６】
2010167078.tif 000038
【図３７】
2010167078.tif 000039
【図３８】
2010167078.tif 000040
【図３９】
2010167078.tif 000041
【図４０】
2010167078.tif 000042
【図４１】
2010167078.tif 000043
【図４２】
2010167078.tif 000044
【図４３】
2010167078.tif 000045
【図４４】
2010167078.tif 000046
【図４５】
2010167078.tif 000047